(57)【要約】【課題】リアルタイムにＯＰＧＷの「マイクロベンディング損失」を検出して早期の対策を講じることが可能な光ファイバ線路監視システムを提供する。【解決手段】この光ファイバ線路監視システム１００は、光ファイバ線路５を介して光信号の送受信を行う送信側通信装置１と受信側通信装置８と、各通信装置１、８の送信端及び受信端に夫々備えられ、光信号１７を主光信号１９とモニタ光信号１８とに分岐する光カプラ２、７と、光カプラ２、７により分岐されたモニタ光信号１８を電気信号に変換するＯ／Ｅ変換器１０、１２と、通信装置１、８の運用情報及び故障情報を収集して通信ネットワーク１４に伝送するＳＶＥ１１、１３と、通信ネットワーク設備の構成、パフォーマンス、障害、及び作業を管理するＮＭＳ１５と、光ファイバ線路５を他の光ファイバ線路９に迂回させる光切換器３、６と、を備えて構成されている。【選択図】図１
2011142495.tif 000002
【特許請求の範囲】
【請求項１】
光ファイバ線路の状態監視を行う光ファイバ線路監視システムであって、
前記光ファイバ線路を介して光信号の送受信を行う少なくとも２台の通信装置と、
前記各通信装置の送信端及び受信端に夫々備えられ、前記光信号を主光信号とモニタ光信号とに分岐する光カプラと、
該光カプラにより分岐された前記モニタ光信号を電気信号に変換する光電気変換器と、
前記通信装置の運用情報及び故障情報を収集して通信ネットワークに伝送する通信用監視制御装置と、
通信ネットワーク設備の構成、パフォーマンス、障害、及び作業を管理するネットワーク運用管理装置と、を備え、
前記ネットワーク運用管理装置は、前記送信側通信装置及び受信側通信装置から夫々送信されたモニタ光信号のレベルを監視し、該レベルの組み合わせに基づいて状態モードを判定することを特徴とする光ファイバ線路監視システム。
【請求項２】
前記ネットワーク運用管理装置は、前記送信側通信装置及び受信側通信装置から夫々送信されたモニタ光信号のレベルが何れも所定の閾値レベル以上である場合は、前記送信側通信装置及び前記光ファイバ線路が正常であると判定することを特徴とする請求項１に記載の光ファイバ線路監視システム。
【請求項３】
前記ネットワーク運用管理装置は、前記送信側通信装置から送信されたモニタ光信号のレベルが所定の閾値レベル以上で、且つ前記受信側通信装置から送信されたモニタ光信号のレベルが所定の閾値レベル以下である場合は、前記送信側通信装置が正常で前記光ファイバ線路が異常であると判定することを特徴とする請求項１に記載の光ファイバ線路監視システム。
【請求項４】
前記ネットワーク運用管理装置は、前記送信側通信装置及び受信側通信装置から送信されたモニタ光信号のレベルが所定の閾値レベル以下である場合は、前記送信側通信装置が異常であると判定することを特徴とする請求項１に記載の光ファイバ線路監視システム。
【請求項５】
前記光ファイバ線路を他の光ファイバ線路に迂回させる光切換器を前記送信側通信装置及び受信側通信装置に夫々備え、
前記ネットワーク運用管理装置は、前記光ファイバ線路が異常であると判定した場合は、警報を発すると共に、該光ファイバ線路を前記他の光ファイバ線路に切り替えるための信号を前記各光切換器に送信することを特徴とする請求項１乃至４の何れか一項に記載の光ファイバ線路監視システム。
【発明の詳細な説明】
【技術分野】
【０００１】
本発明は、光ファイバ線路監視システムに関し、さらに詳しくは、光ファイバ複合架空地線（ＯＰＧＷ）のマイクロベンディング損失等によるレベル変動を遠隔地でリアルタイムに監視する光ファイバ線路監視システムに関するものである。
【背景技術】
【０００２】
電力保安用通信ネットワークにおいては、マイクロ波無線と光ファイバ通信を主体に通信回線を構成している。光ファイバ通信では、光ファイバ複合架空地線（ＯＰＧＷ）と光ファイバケーブルを通信媒体に用いている。
【０００３】
図７は多芯型のＯＰＧＷの一例を示す図であり、複数のテンションメンバ５２の周囲に複数のＵＶファイバ５３が配置され、その外側を耐熱性樹脂５４で被覆し、更に全体を耐熱テープ５０により被覆している。ＯＰＧＷにおいては、寒冷地にて冬季にＯＰＧＷ内に浸水した水分が凍結して、光ファイバ芯線（ＵＶファイバ５３）を圧迫して起こる「マイクロベンディング損失」により、通信回線障害が発生する場合がある。この対応として、従来は障害発生後、現地へ出向き、障害箇所が通信装置か通信線路かを切り分け、通信線路の障害であればＯＴＤＲ（光パルス試験機：図５参照）による障害位置の確認、及び他の通信ルートへの回線迂回構成等を行っていた。
【０００４】
図８は従来のシステムにおける通信装置故障発生時の情報の流れを示す図である。従来のシステムでは、通信装置４０の故障が発生すると、通信装置４０からＳＶＥ４２へ故障接点情報４１が伝達される。そして、ＳＶＥ４２から通信ネットワーク４３を介してＮＭＳ４８の監視制御サーバ４５へ故障情報が伝送される。更に、監視制御サーバ４５からＮＭＳ端末４７と系統監視盤４６へ故障情報を伝達し、画面表示される。このシステムにより通信回線の障害も含めて監視している。
また、光ファイバの障害を監視する従来技術として特許文献１には、モニタ信号により光ファイバの障害を検知すると、該当する光ファイバを選択してＯＴＤＲ試験を実施するシステムについて開示されている。また、特許文献２には、ＯＴＤＲに接続した基幹の光ファイバをループ形状に構成し、そのループ内に複数のセンサを備えた監視システムについて開示されている。
【先行技術文献】
【特許文献】
【０００５】
【特許文献１】特開２００７−７１５７３公報
【特許文献２】特開２００８−１４６９８公報
【発明の概要】
【発明が解決しようとする課題】
【０００６】
しかしながら、ＯＰＧＷの「マイクロベンディング損失」が夜間から早朝にかけて発生した場合、これを受けて現場へ向けて出動するが、多くの場合、現地到着が日中となるため、気温が上昇して凍結が解消されてしまい、障害が自然復旧してしまうため、原因調査が困難となっていた。
また、特許文献１に開示されている従来技術は、障害発生後の障害位置を特定する発明であり、オンライン状態でリアルタイムに回線状態を監視することができないため、回線のダウンタイムが長くなるといった問題がある。
また、特許文献２に開示されている従来技術は、ＯＴＤＲに接続した基幹の光ファイバをループ形状に構成しなければならないため、光ファイバの長さが長くなり、回線コストが高くなるといった問題がある。
本発明は、かかる課題に鑑みてなされたものであり、送信端と受信端に光信号を分岐してモニタ光信号を取り出す光カプラを備え、各モニタ光信号のレベルをネットワーク運用管理装置により監視することにより、リアルタイムにＯＰＧＷの「マイクロベンディング損失」を検出して早期の対策を講じることが可能な光ファイバ線路監視システムを提供することを目的とする。
【課題を解決するための手段】
【０００７】
本発明はかかる課題を解決するために、請求項１は、光ファイバ線路の状態監視を行う光ファイバ線路監視システムであって、前記光ファイバ線路を介して光信号の送受信を行う少なくとも２台の通信装置と、前記各通信装置の送信端及び受信端に夫々備えられ、前記光信号を主光信号とモニタ光信号とに分岐する光カプラと、該光カプラにより分岐された前記モニタ光信号を電気信号に変換する光電気変換器と、前記通信装置の運用情報及び故障情報を収集して通信ネットワークに伝送する通信用監視制御装置と、通信ネットワーク設備の構成、パフォーマンス、障害、及び作業を管理するネットワーク運用管理装置と、を備え、前記ネットワーク運用管理装置は、前記送信側通信装置及び受信側通信装置から夫々送信されたモニタ光信号のレベルを監視し、該レベルの組み合わせに基づいて状態モードを判定することを特徴とする。
本発明では、光ファイバ線路で接続された２台の通信装置の夫々の送信端と受信端に、光信号を主光信号とモニタ光信号に分岐する光カプラを備え、モニタ光信号を電気信号に変換して、通信用監視制御装置に送り、そこから通信ネットワークを介してネットワーク運用管理装置に伝送する。そして、ネットワーク運用管理装置は、送信側通信装置及び受信側通信装置から夫々送信されたモニタ光信号のレベルを監視し、各レベルの組み合わせに基づいて状態モードを判定する。これにより、リアルタイムにＯＰＧＷの「マイクロベンディング損失」を検出して早期の対策を講じることができる。
【０００８】
請求項２は、前記ネットワーク運用管理装置は、前記送信側通信装置及び受信側通信装置から夫々送信されたモニタ光信号のレベルが何れも所定の閾値レベル以上である場合は、前記送信側通信装置及び前記光ファイバ線路が正常であると判定することを特徴とする。
送信側通信装置から送信された主光信号は、光ファイバ線路を伝送して受信側通信装置に到達する。ここで光ファイバ線路が正常であれば、送信側のモニタ光信号と受信側のモニタ光信号のレベルは回線の減衰分受信側では低下する。このレベルをネットワーク運用管理装置が判定することにより、送信側通信装置及び光ファイバ線路が正常であると判定する。これにより、送信側通信装置と光ファイバ線路の状態を同時に判断することができる。
請求項３は、前記ネットワーク運用管理装置は、前記送信側通信装置から送信されたモニタ光信号のレベルが所定の閾値レベル以上で、且つ前記受信側通信装置から送信されたモニタ光信号のレベルが所定の閾値レベル以下である場合は、前記送信側通信装置が正常で前記光ファイバ線路が異常であると判定することを特徴とする。
送信側通信装置から送信された主光信号は、光ファイバ線路を伝送して受信側通信装置に到達する。ここで光ファイバ線路に何か異常（例えば、マイクロベンディング損失）が発生すると、送信側のモニタ光信号は正常レベルであるが、受信側のモニタ光信号のレベルは回線により減衰されて低下する。このレベルをネットワーク運用管理装置が判定することにより、送信側通信装置が正常で光ファイバ線路が異常であると判定する。これにより、送信側通信装置と光ファイバ線路の状態を同時に判断することができる。
【０００９】
請求項４は、前記ネットワーク運用管理装置は、前記送信側通信装置及び受信側通信装置から送信されたモニタ光信号のレベルが所定の閾値レベル以下である場合は、前記送信側通信装置が異常であると判定することを特徴とする。
送信側通信装置が何らかの原因でモニタ光信号が閾値レベル以下になった場合は、殆どの場合は、主光信号のレベルも閾値レベル以下になる。従って、そのレベルの主信号が光ファイバ線路を介して受信側に到達すると、受信側のモニタ光信号も必ず閾値レベル以下となる。尚、この結果から、光ファイバ線路も正常であるとは必ずしも判定できない。何故ならば、光ファイバ線路が断線していても同じ現象となるためである。従って、このときは送信側通信装置のみが異常であると判定する。これにより、送信側通信装置と光ファイバ線路の状態を切り分けて判定することができる。
請求項５は、前記光ファイバ線路を他の光ファイバ線路に迂回させる光切換器を前記送信側通信装置及び受信側通信装置に夫々備え、前記ネットワーク運用管理装置は、前記光ファイバ線路が異常であると判定した場合は、警報を発すると共に、該光ファイバ線路を前記他の光ファイバ線路に切り替えるための信号を前記各光切換器に送信することを特徴とする。
光ファイバ線路が異常であることを検出すると、その光ファイバ線路を修理するまで回線が遮断されてしまう。その結果、通信が途絶するため、本発明では、光ファイバ線路を他の光ファイバ線路に迂回させる光切換器を送信側通信装置及び受信側通信装置に夫々備える。そして、ネットワーク運用管理装置は、光ファイバ線路が異常であると判定した場合は、警報を発すると共に、光ファイバ線路を他の光ファイバ線路に切り替えるための信号を各光切換器に送信する。これにより、通信の途絶を最小限にすることができる。
【発明の効果】
【００１０】
本発明によれば、光ファイバ線路で接続された２台の通信装置の夫々の送信端と受信端に、光信号を主光信号とモニタ光信号に分岐する光カプラを備え、モニタ光信号を電気信号に変換して、通信用監視制御装置に送り、そこから通信ネットワークを介してネットワーク運用管理装置に伝送する。そして、ネットワーク運用管理装置は、送信側通信装置及び受信側通信装置から夫々送信されたモニタ光信号のレベルを監視し、各レベルの組み合わせに基づいて状態モードを判定するので、リアルタイムにＯＰＧＷの「マイクロベンディング損失」を検出して早期の対策を講ずることができる。
また、光ファイバ線路が正常であれば、送信側のモニタ光信号と受信側のモニタ光信号のレベルは回線の減衰分受信側では低下する。このレベルをネットワーク運用管理装置が判定することにより、送信側通信装置及び光ファイバ線路が正常であると判定するので、送信側通信装置と光ファイバ線路の状態を同時に判断することができる。
【００１１】
また、光ファイバ線路にマイクロベンディング損失が発生すると、送信側のモニタ光信号は正常レベルであるが、受信側のモニタ光信号のレベルは回線により減衰されて低下する。このレベルをネットワーク運用管理装置が判定することにより、送信側通信装置が正常で光ファイバ線路が異常であると判定するので、送信側通信装置と光ファイバ線路の状態を同時に判断することができる。
また、送信側通信装置が何らかの原因でモニタ光信号が閾値レベル以下になった場合は、殆どの場合は、主光信号のレベルも閾値レベル以下になる。従って、そのレベルの主信号が光ファイバ線路を介して受信側に到達すると、受信側のモニタ光信号も必ず閾値レベル以下となる。従って、このときは送信側通信装置のみが異常であると判定するので、送信側通信装置と光ファイバ線路の状態を切り分けて判定することができる。
また、光ファイバ線路を他の光ファイバ線路に迂回させる光切換器を送信側通信装置及び受信側通信装置に夫々備える。そして、ネットワーク運用管理装置は、光ファイバ線路が異常であると判定した場合は、警報を発すると共に、光ファイバ線路を他の光ファイバ線路に切り替えるための信号を各光切換器に送信するので、通信の途絶を最小限にすることができる。
【図面の簡単な説明】
【００１２】
【図１】本発明の実施形態に係る光ファイバ線路監視システムの構成を示すブロック図である。
【図２】ＮＭＳ１５のディスプレイ１６に表示されたモニタ光信号の一例を示す図である。
【図３】本発明の光ファイバ線路監視システムの動作を説明するフローチャートである。
【図４】（ａ）は、送信側の通信装置と光ファイバ線路が共に正常である場合の図、（ｂ）は、送信側通信装置が正常で、光ファイバ線路が異常である場合の図、（ｃ）は送信側通信装置が異常で、光ファイバ線路が正常の場合の図である。
【図５】ＯＴＤＲによる測定系原理を説明する図である。
【図６】受光パワーと伝播時間の関係を表す図である。
【図７】多芯型のＯＰＧＷの一例を示す図である。
【図８】従来のシステムにおける通信装置故障発生時の情報の流れを示す図である。
【発明を実施するための形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１４】
図１は本発明の実施形態に係る光ファイバ線路監視システムの構成を示すブロック図である。この光ファイバ線路監視システム１００は、光ファイバ線路５を介して光信号の送受信を行う送信側通信装置１と受信側通信装置８と、各通信装置１、８の送信端及び受信端に夫々備えられ、光信号１７を主光信号１９とモニタ光信号１８とに分岐する光カプラ２、７と、光カプラ２、７により分岐されたモニタ光信号１８を電気信号に変換するＯ／Ｅ変換器（光電気変換器）１０、１２と、通信装置１、８の運用情報及び故障情報を収集して通信ネットワーク１４に伝送するＳＶＥ(Supervisory Equipment)（通信用監視制御装置）１１、１３と、通信ネットワーク設備の構成、パフォーマンス、障害、及び作業を管理するＮＭＳ(Network Management System)（ネットワーク運用管理装置）１５と、光ファイバ線路５を他の光ファイバ線路９に迂回させる光切換器３、６と、を備えて構成されている。
【００１５】
また、ＮＭＳ１５には、故障情報やモニタ光信号のリアルタイムな状態を表示するディスプレイ１６と警報を発する警報装置２４とを備えている。そして、ＮＭＳ１５は、送信側通信装置１及び受信側通信装置８から夫々送信されたモニタ光信号１８のレベルを監視し、各レベルの組み合わせに基づいて状態モードを判定する。尚、図１では、通信装置１を送信側、通信装置８を受信側とし、１本の光ファイバ線路５で接続しているが、夫々の通信装置には、図示を省略するが送信側と受信側の光ファイバ線路が存在する。また、光カプラ２、７を１本の光ファイバ線路５に接続しているが、図７に示すテンションメンバ５２単位に１つずつ備えるようにしても良い。
即ち、本実施形態では、光ファイバ線路５で接続された２台の通信装置１、８の夫々の送信端と受信端に、光信号１７を主光信号１９とモニタ光信号１８に分岐する光カプラ２、７を備え、モニタ光信号１８を電気信号に変換して、ＳＶＥ１１に送り、そこから通信ネットワーク１４を介してＮＭＳ１５に伝送する。そして、ＮＭＳ１５は、送信側通信装置１及び受信側通信装置８から夫々送信されたモニタ光信号１８のレベルを監視し、各レベルの組み合わせに基づいて状態モードを判定する。これにより、リアルタイムにＯＰＧＷの「マイクロベンディング損失」を検出して早期の対策を講ずることができる。
【００１６】
図２はＮＭＳ１５のディスプレイ１６に表示されたモニタ光信号の一例を示す図である。縦軸はモニタ光信号の光レベル（ｄＢｍ）、横軸は時刻を表す。図２の符号２０はモニタ光信号の最大値をプロットしたもの、符号２１はモニタ光信号の平均値をプロットしたもの、符号２２はモニタ光信号の最小値をプロットしたものである。ここで、閾値２３を−５７．４ｄＢｍに設定したとき、平均値２１が０時２５分に閾値２３以下となり、０時５５分に閾値２３以上となり、一旦復旧しているのがわかる。このように本システムでは、ディスプレイ１６にリアルタイムにモニタ光信号のレベル変化が表示されるため、光ファイバ線路５の状態変化を事前に把握することができ、早期の対応策を講ずることができる。
【００１７】
図３は本発明の光ファイバ線路監視システムの動作を説明するフローチャートである。同じ動作には同じ参照番号を付して説明する。また、図では送信側、受信側、及びＮＭＳ側に分けて図示する。送信側通信装置１からデータを光ファイバ線路５を介して送信する（Ｓ１）。受信側通信装置８は、そのデータを受信する（Ｓ１ａ）。これ以降は、送信側と受信側は同じ動作を行なう。即ち、光カプラ２、７によりモニタ光信号１８を取出し（Ｓ２）、Ｏ／Ｅ変換器１０、１２で光電変換を行ない（Ｓ３）、その信号をＳＶＥ１１に入力して、ＳＶＥ１１により通信ネットワーク１４に送信する（Ｓ４）。
通信ネットワーク１４を介してＮＭＳ１５は、送信側と受信側からモニタ光信号１８を受信して、ディスプレイ１６に表示する（Ｓ５）。そのとき、ＮＭＳ１５は送信側のモニタ光信号が所定の閾値レベル以上か否かをチェックする（Ｓ６）。モニタ光信号が所定の閾値レベル以上である場合（Ｓ６でＹ）、受信側のモニタ光信号が所定の閾値レベル以上か否かをチェックする（Ｓ７）。モニタ光信号が所定の閾値レベル以上である場合は（Ｓ７でＹ）、送信側通信装置１及び光ファイバ線路５が正常である旨を表示する（Ｓ１４）。即ち、送信側通信装置１から送信された主光信号１９は、光ファイバ線路５を伝送して受信側通信装置８に到達する。ここで光ファイバ線路５が正常であれば、送信側のモニタ光信号１８と受信側のモニタ光信号１８のレベルは回線の減衰分受信側では低下するが、殆ど同じレベルとなる（図４（ａ）参照）。このレベルをＮＭＳ１５が判定することにより、送信側通信装置１及び光ファイバ線路５が正常であると判定する。これにより、送信側通信装置１と光ファイバ線路５の状態を同時に判断することができる。
【００１８】
一方、ステップＳ７でモニタ光信号が所定の閾値レベル以上でない場合は（Ｓ７でＮ）、送信側通信装置１は正常で、光ファイバ線路５が異常（図１の符号４の箇所でマイクロベンディング損失が発生）である旨を表示して（Ｓ８）、光ファイバ路線５を光ファイバ迂回ルート９に切り替える信号を光切替器３、６に送信する（Ｓ９）。そして、ネットワーク管理者へ警報装置２４で警報を発する（Ｓ１０）。即ち、送信側通信装置１から送信された主光信号１９は、光ファイバ線路５を伝送して受信側通信装置８に到達する。ここで光ファイバ線路５に何か異常（例えば、マイクロベンディング損失）が発生すると、送信側のモニタ光信号１８は正常レベルであるが、受信側のモニタ光信号１８のレベルは回線により減衰されて低下する。このレベルをＮＭＳ１５が判定することにより、送信側通信装置１が正常で光ファイバ線路５が異常であると判定する。これにより、送信側通信装置１と光ファイバ線路５の状態を同時に判断することができる。
【００１９】
また、ステップＳ６で送信側のモニタ光信号１８が所定の閾値レベル以上でない場合は（Ｓ６でＮ）、送信側のモニタ光信号１８が所定の閾値レベル以上か否かをチェックする（Ｓ１１）。ステップＳ１１で受信側のモニタ光信号１８が所定の閾値レベル以上でない場合は（Ｓ１１でＮ）、送信側通信装置１異常である旨を表示して（Ｓ１２）ステップＳ１０に進む。即ち、送信側通信装置１が何らかの原因でモニタ光信号１８が閾値レベル以下になった場合は、殆どの場合は、主光信号１９のレベルも閾値レベル以下になる。従って、そのレベルの主光信号が光ファイバ線路５を介して受信側に到達すると、受信側のモニタ光信号１８も必ず閾値レベル以下となる。尚、この結果から、光ファイバ線路５も正常であるとは必ずしも判定できない。何故ならば、光ファイバ線路５が断線していても同じ現象となるためである。従って、このときは送信側通信装置１のみが異常であると判定する。これにより、送信側通信装置１と光ファイバ線路５の状態を切り分けて判定することができる。
【００２０】
ステップＳ１１で受信側のモニタ光信号１８が所定の閾値レベル以上である場合は（Ｓ１１でＹ）、送信側の光信号は正常に出ているにも拘わらず光カプラ７の異常でモニタ光信号１８が出てこないか、又は／及び、受信側のモニタ光信号１８のレベル如何に拘わらずＯ／Ｅ変換器１２の出力が一定値を出す異常である旨を表示して（Ｓ１３）ステップＳ１０に進む。即ち、光カプラ２、６は光信号を主光信号１９とモニタ光信号１８に光学的に分岐する構成となっている。例えば、ビームスプリッタのような構成である。従って、光そのものを扱うため、ビームスプリッタの故障モードとしては、モニタ光信号１８が全く出てこないといった現象以外にない。その結果、送信側のモニタ光信号１８が閾値以下で、受信側のモニタ光信号１８が閾値以上の場合は、送信側の光信号は正常に出ているにも拘わらず光カプラ２の異常でモニタ光信号１８が出てこないか、又は／及び、受信側のモニタ光信号１８のレベル如何に拘わらず光電気変換器１２の出力が一定値を出す異常と考えることができる。
また、送信側及び受信側の光切替器３及び６は、ＮＭＳ１５から切換信号を受信すると、光ファイバ線路５を光ファイバ迂回ルート９に切り替える（Ｓ１５）。
【００２１】
図４はディスプレイに表示したモニタ光信号レベルと閾値レベルの関係を表す図である。図４（ａ）は、送信側の通信装置と光ファイバ線路が共に正常である場合の図、図４（ｂ）は、送信側通信装置が正常で、光ファイバ線路が異常である場合の図、図４（ｃ）は送信側通信装置が異常で、光ファイバ線路が正常の場合の図である。
図４では、送信側及び受信側の閾値レベルを夫々符号３５、３６で表し、縦軸にモニタ光信号レベル、横軸に時間を表す。図４（ａ）の場合、送信側及び受信側のモニタ光信号レベルは、閾値レベル３５、３６以上であるので、送信側通信装置１と光ファイバ線路５が共に正常であるといえる。図４（ｂ）の場合、送信側のモニタ光信号レベルは、閾値レベル３５以上であるので、送信側通信装置１は正常であるといえるが、受信側のモニタ光信号レベルは、時間ｔ１で閾値レベル３６以下であるので、光ファイバ線路５が異常である。図４（ｃ）の場合、送信側のモニタ光信号レベルは、時間ｔ１で閾値レベル３５以下であるので、送信側通信装置１は異常であり、受信側のモニタ光信号レベルも、時間ｔ２で閾値レベル３６以下であるので、送信側通信装置１が異常で、光ファイバ線路５が正常であるといえる。
【００２２】
図５はＯＴＤＲによる測定系原理を説明する図（「実務に役立つ光ファイバ技術２００のポイント」発売元（株）オーム社、２９５ページ図１より引用）である。パルス発生器２５により半導体レーザ２６を変調してビームスプリッタ２８に入射して、入射光反射光に分岐させる。その反射光を受光装置３１により受光して表示又は記録装置３２に入力する。また、被測定用光ファイバ３５には接続点３３と端末又は破断点３４があるとする。光ファイバ３５に光を入射したときに、光ファイバ３５の途中から入射端に戻ってくる光には、コアの屈折率の段差（入射端、端末、破断点等）によって生じるフレネル反射と、レイリー散乱光のうち、光ファイバ３５の入射端に戻ってくる後方レイリー散乱光（後方散乱光）があり、この原理を利用したものがＯＴＤＲである（図６（「実務に役立つ光ファイバ技術２００のポイント」発売元（株）オーム社、２９６ページ図２より引用）参照）。
【符号の説明】
【００２３】
１  送信側通信装置、２  光カプラ、３  光切替器、４  マイクロベンディング損失発生箇所、５  光ファイバ線路、６  光切替器、７  光カプラ、８  受信側通信装置、９  光ファイバ迂回ルート、１０  Ｏ／Ｅ変換器、１１  ＳＶＥ、１２  Ｏ／Ｅ変換器、１３  ＳＶＥ、１４  通信ネットワーク、１５  ＮＭＳ、１６  ディスプレイ、１７  光信号、１８  モニタ光信号、１９  主光信号、２０  モニタ光信号の最大値、２１  モニタ光信号の平均値、２２  モニタ光信号の最小値、２３  閾値、２４  警報装置、１００  光ファイバ線路監視システム
【図１】
2011142495.tif 000003
【図２】
2011142495.tif 000004
【図３】
2011142495.tif 000005
【図４】
2011142495.tif 000006
【図５】
2011142495.tif 000007
【図６】
2011142495.tif 000008
【図７】
2011142495.tif 000009
【図８】
2011142495.tif 000010